(57)【要約】【課題】筐体強度を効果的に向上させて、小型軽量化することができる鍵盤楽器を提供する。【解決手段】下ケース１６０の内面側において、鍵盤ユニット１２０に配列された白鍵１２２及び黒鍵１２４のそれぞれに対応して設けられたハンマー部材４２２相互の間隙に対応する領域に、下ケース１６０の短手方向に延在する１又は複数条の板状部材を有するリブ３２２が配置されている。また、下ケース１６０の短手方向に直交する下ケース１６０の長手方向に延在し、短手方向に延在する複数のリブ３２２を相互に連結するリブ３２４が配置されている。【選択図】図６
2020064215.tif 000002
【特許請求の範囲】
【請求項１】
一端側に設けられ、押鍵時に押し下げられる力点部と、他端側に設けられ、押鍵される鍵に対して荷重を加える錘部と、前記力点部と前記錘部の間に設けられている支点部と、を有し、押鍵時に前記支点部を中心に上下方向にそれぞれ揺動する複数のハンマー部材と、
前記複数のハンマー部材の間隙に、各ハンマー部材が前記支点部を中心に前記鍵の配列方向に揺動した場合であっても前記錘部が当接しないように設けられている少なくとも１つの補強部材、を有する筺体と、
を備えることを特徴とする鍵盤楽器。
【請求項２】
請求項１に記載の鍵盤楽器において、
前記筺体と、前記少なくとも１つの補強部材と、は一体的に成形されており、
前記少なくとも１つの補強部材は、前記各ハンマー部材が前記支点部を中心に前記鍵の配列方向に揺動した場合であっても前記錘部が当接しないように切り欠かれた切り欠き部、を有することを特徴とする鍵盤楽器。
【請求項３】
請求項１又は２に記載の鍵盤楽器において、
前記筐体は、前記鍵の配列方向に沿って、外面側から内部方向に向けて窪んだ凹部が設けられている第１領域、を有し、
前記少なくとも１つの補強部材は、前記第１領域に隣接する第２領域内に設けられていることを特徴とする鍵盤楽器。
【請求項４】
請求項３に記載の鍵盤楽器において、
前記支点部を支持することにより前記複数のハンマー部材を保持する保持部材、を備え、
前記保持部材は、前記第１領域に対応する前記筺体内の凸部に載置されていることを特徴とする鍵盤楽器。
【請求項５】
請求項３または４に記載の鍵盤楽器において、
前記第１領域内に、板状部材が格子状に配置されていることを特徴とする鍵盤楽器。
【請求項６】
請求項３乃至５のいずれかに記載の鍵盤楽器において、
前記筐体は、前記第１領域内に、当該鍵盤楽器を載置するスタンドに位置決めするための位置決め部が設けられていることを特徴とする鍵盤楽器。
【請求項７】
請求項３乃至６に記載の鍵盤楽器において、
前記筐体は、前記鍵の配列方向に沿って外面側から内部方向に向けて窪んだ凹部が、押鍵位置に対応する第３領域に設けられていることを特徴とする鍵盤楽器。
【請求項８】
請求項７に記載の鍵盤楽器において、
前記筐体は、前記鍵の配列方向に沿って延びる他の補強部材が、前記複数の鍵の後方の第４領域に設けられていることを特徴とする鍵盤楽器。
【請求項９】
請求項８に記載の鍵盤楽器において、
前記複数の鍵の後方側に、押鍵操作に応じた楽音を生成する回路基板と、前記楽音を発音する発音部と、が配置され、
前記回路基板と前記発音部とを接続するケーブルが、前記他の補強部材の内部に配設されていることを特徴とする鍵盤楽器。
【発明の詳細な説明】
【技術分野】
【０００１】
この発明は、電子ピアノ等の鍵盤装置を備えた鍵盤楽器に関する。
【背景技術】
【０００２】
従来、電子ピアノ等の電子鍵盤楽器においては、楽器本体の筐体強度を向上させるため、様々な補強方法が適用されている。例えば特許文献１には、電子鍵盤楽器の音響特性を向上させるための整音体（吸音体）を保持するための機能と筐体を補強するための機能とを兼ねた複数の垂下部が、筐体の側壁面に沿って配置されているとともに、各垂下部が接続リブを介して筐体の側壁面に連接された筐体構造が記載されている。
【先行技術文献】
【特許文献】
【０００３】
【特許文献１】特開２０１４−２１１６１８号公報
【発明の概要】
【発明が解決しようとする課題】
【０００４】
上述した第１の実施形態に記載された筐体構造においては、筐体の側壁面の周辺の強度を向上させるためには有効であるが、次のような課題を有している。すなわち、電子鍵盤楽器は、複数の鍵盤が配列された鍵盤ユニットを有しているため、必然的に鍵の配列方向に長い筐体を有することになる。このような筐体を有する電子鍵盤楽器において、小型化や軽量化を実現するために筐体部材の肉厚を薄く設計すると、筐体の長手方向の強度が低下して撓みや捻れ等の変形が生じやすくなり、楽器本体が破損しやすくなったり、楽器の操作性や音響特性が劣化したりする可能性がある。そのため、このような問題をより効果的に解決するための筐体構造が求められている。
【０００５】
そこで、本発明は、筐体強度を効果的に向上させて、小型軽量化することができる鍵盤楽器を提供することを目的とする。
【課題を解決するための手段】
【０００６】
本発明に係る鍵盤楽器は、
一端側に設けられ、押鍵時に押し下げられる力点部と、他端側に設けられ、押鍵される鍵に対して荷重を加える錘部と、前記力点部と前記錘部の間に設けられている支点部と、を有し、押鍵時に前記支点部を中心に上下方向にそれぞれ揺動する複数のハンマー部材と、
前記複数のハンマー部材の間隙に、各ハンマー部材が前記支点部を中心に前記鍵の配列方向に揺動した場合であっても前記錘部が当接しないように設けられている少なくとも１つの補強部材、を有する筺体と、
を備えることを特徴とする。
【発明の効果】
【０００７】
この発明によれば、鍵盤楽器の筐体強度を効果的に向上させて、小型軽量化することができる。
【図面の簡単な説明】
【０００８】
【図１】本発明に係る鍵盤楽器の一実施形態を示す外観図である。
【図２】一実施形態に係る鍵盤楽器の構造例を示す概略組み付け図である。
【図３】一実施形態に係る鍵盤楽器に適用される下ケースを示す概略図である。
【図４】一実施形態に係る鍵盤楽器に適用される第１の筐体補強部を示す要部斜視図である。
【図５】一実施形態に係る第１の筐体補強部を適用した楽器本体を示す要部断面図である。
【図６】一実施形態に係る鍵盤楽器に適用される第２の筐体補強部を示す要部平面図である。
【図７】一実施形態に係る第２の筐体補強部を適用した楽器本体の鍵盤機構を示す要部断面図（その１）である。
【図８】一実施形態に係る第２の筐体補強部を適用した楽器本体の鍵盤機構を示す要部断面図（その２）である。
【図９】一実施形態に係る鍵盤楽器に適用される第２の筐体補強部のリブとハンマー部材との干渉状態の一例を示す図である。
【図１０】一実施形態に係る鍵盤楽器に適用される第２の筐体補強部のリブの配置間隔の一例を示す平面図である。
【図１１】一実施形態に係る鍵盤楽器に適用される第３の筐体補強部を示す概略斜視図である。
【図１２】一実施形態に係る第３の筐体補強部を適用した楽器本体を示す概略断面図である。
【図１３】一実施形態に係る鍵盤楽器に適用される第４の筐体補強部を示す概略斜視図である。
【図１４】一実施形態に係る第４の筐体補強部を適用した楽器本体を示す概略断面図である。
【図１５】一実施形態に係る第４の筐体補強部を適用した楽器本体内部のケーブル配設例を示す概略図である。
【発明を実施するための形態】
【０００９】
以下、本発明を実施するための形態について、図面を参照しながら詳しく説明する。
（鍵盤楽器）
図１は、本発明に係る鍵盤楽器の一実施形態を示す外観図である。また、図２は、本実施形態に係る鍵盤楽器の構造例を示す概略組み付け図である。ここでは、鍵盤楽器の一例として電子ピアノを示して説明するが、特定方向を長手方向として延在する筐体を有し、ユーザ（演奏者）の押鍵操作に応じて楽音を発音するものであれば他の電子楽器であってもよい。
【００１０】
本発明に係る鍵盤楽器は、例えば図１（ａ）、（ｂ）に示すように、電子ピアノの楽器本体１００と、楽器本体１００が載置されて固定されるスタンド２００とを有している。ここで、楽器本体１００は、スタンド２００上面の特定の位置に載置するために、例えば図１（ｂ）に示すように、スタンド２００側に設けられた位置決め凸部２０２に嵌合する位置決め凹部（詳しくは後述する）が下面側に設けられている。スタンド２００上面に位置決めされた楽器本体１００は、ネジやボルト等の締結部品（図示を省略）によりスタンド２００上面に締結固定される。
【００１１】
楽器本体１００は、例えば図１、図２に示すように、概略、鍵盤ユニット１２０と、上ケース１４０と、下ケース１６０とを有している。鍵盤ユニット１２０は、ユーザ側となる前方側（図面手前側）に演奏操作子としての複数の鍵を有し、ユーザが押鍵操作を行うことにより音高が指定される。
【００１２】
上ケース１４０は、鍵盤ユニット１２０の各鍵が露出する開口部１４２を備えた枠体を有し、開口部１４２の後方側（図面奥側）の上面には、音量調整や音色選択等の操作を行うためのスイッチ類や、演奏中の楽曲に関する情報や各種の設定情報等を表示するための表示パネル等を備えた操作パネル１４４が配置されている。また、上ケース１４０には、ユーザによる押鍵操作により指定された音高に応じた楽音を生成する音源回路基板１４６や、生成された楽音を発音するスピーカ１４８等が組み込まれている。下ケース１６０は、内面側（図面上面側）に鍵盤ユニット１２０及び上ケース１４０が組み付けられ、外面側（図面下面側）にはスタンド２００への載置、固定を行うための位置決め凹部やネジ穴が設けられている。
【００１３】
鍵盤ユニット１２０は、図１、図２に示すように、楽器本体１００の長手方向（図面左右方向）に複数の白鍵１２２及び黒鍵１２４が所定の順序で規則的に配列されている。ここでは、鍵盤ユニット１２０は、合計８８個の白鍵１２２及び黒鍵１２４が配列されている。これらの白鍵１２２及び黒鍵１２４は、個別に上下方向に回動可能に共通の鍵盤シャーシ１２６に取り付けられている。鍵盤ユニット１２０は、上ケース１４０の開口部１４２から露出した前方側（図面手前側）の鍵盤部分がユーザによる押鍵操作が行われる領域となり、後方側（図面奥側）は上ケース１４０の内部に収納される。なお、本願明細書においては、「鍵」と記載した場合には、特に言及しない限り白鍵及び黒鍵に共通する事項を指す。
【００１４】
図３は、本実施形態に係る鍵盤楽器に適用される下ケースを示す概略図である。図３（ａ）は下ケースの外面側を示す図であり、図３（ｂ）は下ケースの内面側を示す図である。ここで、下ケースの外面側は、図１、図２に示した楽器本体１００の下面側に対応し、下ケースの内面側は、楽器本体１００の内部側、又は、図２に示した下ケース１６０の上面側に対応する。
【００１５】
本実施形態においては、鍵盤楽器の筐体強度を向上させるために、図３に示すように、下ケース１６０に異なる種類の複数の筐体補強部３１０〜３４０が設けられている。いずれの筐体補強部３１０〜３４０も、楽器本体１００又は下ケース１６０の長手方向、及び、当該長手方向に直交する楽器本体１００又は下ケース１６０の短手方向に、板状部材からなる複数のリブが設けられている。ここで、楽器本体１００又は下ケース１６０の長手方向は、図２、図３に示すように、鍵盤ユニット１２０の鍵の配列方向に対応し、楽器本体１００又は下ケース１６０の短手方向は、図２に示すように、鍵の配列方向に直交し、鍵盤ユニット１２０の鍵の上面が延在する鍵の長手方向に対応する。
【００１６】
以下、各筐体補強部３１０〜３４０について、具体的に説明する。
（１）第１の筐体補強部３１０
図４は、本実施形態に係る鍵盤楽器に適用される第１の筐体補強部を示す要部斜視図であり、図５は、本実施形態に係る第１の筐体補強部を適用した楽器本体を示す要部断面図である。なお、図５においては、図示の都合上、上ケースを省略した断面を示す。
【００１７】
第１の筐体補強部３１０は、具体的には、図３（ａ）に示すように、下ケース１６０の外面側の、下ケース１６０の長手方向に延在する領域（第１領域）に、連続する溝部３１２が設けられている。溝部３１２は、図４、図５に示すように、下ケース１６０の外面側から楽器本体１００の内部（下ケース１６０の内面側）方向に窪んだ凹部を有し、溝部３１２の内部に、下ケース１６０の長手方向に延在する複数条の板状部材を有するリブ３１４と、長手方向に直交する下ケース１６０の短手方向に延在する複数条の板状部材を有するリブ３１６と、が格子状に配置されている。ここで、リブ３１４、３１６は、図４、図５に示すように、溝部３１２の深さと略同等の高さを有して、溝部３１２内に一体的に設けられている。
【００１８】
このように、下ケース１６０の長手方向に連続する溝部３１２、及び、その内部に格子状に配置されたリブ３１４、３１６を設けることにより、楽器本体１００の小型軽量化のために各部材の肉厚を薄く設計した場合であっても、下ケース１６０や下ケース１６０を含む楽器本体１００の長手方向に対して垂直方向に生じる変形（撓み）を抑制することができ、筐体の強度を向上させることができる。また、下ケース１６０の短手方向に溝部３１２の幅を広くするとともに、当該幅に応じてリブ３１６を長く形成することにより、下ケース１６０や楽器本体１００の長手方向を軸として回転方向に生じる変形（捻れ）を抑制することもでき、筐体の強度をさらに向上させることができる。
【００１９】
また、第１の筐体補強部３１０は、図４に示すように、下ケース１６０の溝部３１２内に、楽器本体１００をスタンド２００上面の特定の位置に載置するための位置決め部が設けられている。例えば図１に示したように、スタンド側に位置決め凸部２０２が設けられた形態においては、下ケース１６０の外面側に設けられた溝部３１２内に、スタンド２００上面の位置決め凸部２０２が嵌合する位置決め凹部３１８が設けられている。位置決め凹部３１８は、下ケース１６０の長手方向に延在する溝部３１２の両端部近傍に複数箇所設けられる。ここで、位置決め凹部３１８は、スタンド側の位置決め凸部２０２の形状や高さ等に対応するように、溝部３１２内のリブ３１４、３１６の配置や形状、高さ等を設定することにより形成される。例えば、スタンド２００側の位置決め凸部２０２が円柱状である場合には、図４に示すように、位置決め凹部３１８として、円柱状の位置決め凸部２０２が嵌合する部分のリブ３１４、３１６が除去されるとともに、位置決め凸部２０２の円柱外周面に係合するように円弧状の支持リブ（支持部）３１９が設けられる。
【００２０】
これにより、楽器本体１００をスタンド２００上に載置、固定する際に、溝部３１２内に設けられた位置決め凹部３１８により簡易かつ確実に位置決めを行うことができる。ここで、溝部３１２内には格子状のリブ３１４、３１６が設けられていることにより、下ケース１６０の強度を向上させているので、下ケース１６０や楽器本体１００の変形に伴う位置決め凹部３１８の位置の変化やずれを抑制することができ、楽器本体１００をスタンド２００の特定の位置に簡易かつ確実に載置、固定することができる。
【００２１】
また、第１の筐体補強部３１０は、図５に示すように、溝部３１２が下ケース１６０の外面側から楽器本体１００の内部方向に窪むように設けられているため、楽器本体１００の内部（下ケース１６０の内面側）に溝部３１２の形状に対応した突出部（凸部）が形成される。本実施形態においては、この突出部の図面上面に対して、鍵盤ユニット１２０において各鍵に対応して設けられるハンマー部材４２２を回動可能に支持するハンマーホルダ（保持部材）４２６の図面下方側の端部が載置されるように、突出部（溝部３１２）やハンマーホルダ４２６の形状や寸法が設定されている。ここで、突出部（溝部３１２）にハンマーホルダ４２６が載置された状態でネジ等の締結部材により双方を締結固定することにより、ハンマーホルダ４２６を含む鍵盤ユニット１２０が下ケース１６０に組み付けられる。
【００２２】
これにより、下ケース１６０に鍵盤ユニット１２０を組み付けた際に、溝部３１２に対応した突出部によりハンマーホルダ４２６を下方から支持することができる。ここで、溝部３１２内に設けられた格子状のリブ３１４、３１６により、下ケース１６０の強度を向上させているので、鍵盤ユニット１２０の重みや、押鍵時の衝撃や押圧力による下ケース１６０や楽器本体１００の変形を抑制することができる。また、突出部（溝部３１２）とハンマーホルダ４２６とが締結固定されているので、押鍵時のハンマー部材の回動に伴う異音や振動の発生を抑制することができる。なお、鍵盤ユニット１２０の詳細な鍵盤機構については後述する。
【００２３】
なお、本実施形態においては、溝部３１２内に四角形の空間を有する格子状にリブ３１４、３１６を配置した形態を示したが、本発明はこれに限定されるものではない。第１の筐体補強部３１０のリブは、下ケース１６０の長手方向及び短手方向の両方向に対して筐体の強度を高められる構造を有しているものであればよく、他の補強構造として、例えば溝部３１２内に三角形の空間を有するトラス状や六角形の空間を有するハニカム状にリブ３１４、３１６を配置した形態を適用するものであってもよい。
【００２４】
また、本実施形態においては、第１の筐体補強部３１０として、下ケース１６０の外面側から楽器本体１００の内部方向に窪んだ凹部を有する溝部３１２を設け、溝部３１２内に格子状にリブ３１４、３１６を配置した形態を示したが、本発明はこれに限定されるものではない。第１の筐体補強部３１０として、溝部３１２を設けることなく、下ケース１６０の内面側（楽器本体１００の内部側）の、上記溝部３１２が設けられる領域に対応する領域（第１領域）に格子状に配置されたリブが突出し、下ケース１６０の長手方向に沿って延在しているものであってもよい。この形態においても、上述した実施形態と同様に、下ケース１６０の強度を向上させることができる。ここで、格子状に配置されたリブの長手方向及び短手方向の端部は、リブの外周を囲むように配置された枠状のリブにより連結されているものであってもよい。これによれば、枠状のリブが上述した実施形態に示した溝部３１２の側壁面と同等の機能を有し、筐体の強度をさらに向上させることができる。
【００２５】
（２）第２の筐体補強部３２０
図６は、本実施形態に係る鍵盤楽器に適用される第２の筐体補強部を示す要部平面図であり、図７、図８は、本実施形態に係る第２の筐体補強部を適用した楽器本体の鍵盤機構を示す要部断面図である。なお、図７、図８においては、図示の都合上、上ケースを省略した断面を示す。図９は、本実施形態に係る鍵盤楽器に適用される第２の筐体補強部のリブとハンマー部材との干渉状態の一例を示す図である。図１０は、本実施形態に係る鍵盤楽器に適用される第２の筐体補強部のリブの配置間隔の一例を示す平面図である。
【００２６】
第２の筐体補強部３２０は、具体的には、図３（ｂ）、図６に示すように、下ケース１６０の内面側において、鍵盤ユニット１２０に配列された白鍵１２２及び黒鍵１２４のそれぞれに対応して設けられたハンマー部材４２２相互の間隙に対応する領域に、下ケース１６０の短手方向に延在する１又は複数条の板状部材を有するリブ（補強部材）３２２が配置されている。また、第２の筐体補強部３２０には、下ケース１６０の短手方向に直交する下ケース１６０の長手方向に延在し、短手方向に延在する複数のリブ３２２を相互に連結するリブ３２４が配置されている。本実施形態においては、図６、図７に示すように、下ケース１６０の短手方向に延在するリブ３２２の一端側（図６下方端側、図７左方端側）が、上述した第１の筐体補強部３１０に設けられる溝部３１２の形状に対応して下ケース１６０の内面側に突出し、長手方向に延在する突出部の側壁面に接続されている。すなわち、１又は複数のリブ３２２は、下ケース１６０の溝部３１２が設けられた領域（第１領域）に隣接する領域（第２領域）に設けられ、当該溝部３１２に対応する突出部の側壁面がリブ３２４としての機能を有し、複数のリブ３２２相互が長手方向に連結される。
【００２７】
ここで、第２の筐体補強部３２０について詳しく説明するために、本実施形態に適用される鍵盤ユニットの鍵盤機構について説明する。ここでは、白鍵１２２の鍵盤機構について説明するが、黒鍵１２４についても同様の鍵盤機構を有している。
【００２８】
鍵盤ユニットの鍵盤機構は、図７に示すように、白鍵１２２及び黒鍵１２４が上下方向に回動可能に取り付けられた共通の鍵盤シャーシ１２６と、鍵盤シャーシ１２６に取り付けられた白鍵１２２及び黒鍵１２４のそれぞれに対する押鍵操作に伴ってアクション荷重を付与するためのハンマーユニット４２０と、白鍵１２２及び黒鍵１２４に対する押鍵操作に応じてオン動作するスイッチ部４１０と、を備えている。
【００２９】
楽器本体１００に対してユーザ側となる、鍵盤シャーシ１２６の前方側の端部（図面左方側端部）には、図面上方の白鍵１２２に向かって突出する前脚部４０２が設けられている。前脚部４０２の上部には、各白鍵１２２の回動時に鍵の配列方向（図の紙面に垂直方向）への横振れを防止するための鍵ガイド部４０４が設けられ、前脚部４０２の前方側（図面左方側）には、白鍵１２２の回動時の上限位置及び下限位置を規制するためのストッパ部４０６が設けられている。また、鍵盤シャーシ１２６の前脚部４０２の後方側（図面右方側）には、ハンマーユニット４２０が取り付けられるユニット取付け部４０８が図面上方に突出して設けられている。
【００３０】
また、鍵盤シャーシ１２６のユニット取付け部４０８の後方側（図面右方側）には、白鍵１２２への押鍵操作に応じてオン動作するスイッチ部４１０を搭載した発音用基板４１２が取り付けられている。発音用基板４１２は、複数配列されている白鍵１２２及び黒鍵１２４に対して共通に設けられ、発音用基板４１２上に各白鍵１２２及び黒鍵１２４に個別に対応するように複数のスイッチ部４１０が搭載されている。また、発音用基板４１２には、白鍵１２２への押鍵操作に応じてスイッチ部４１０から出力されるオン信号に基づいて楽音情報を生成する処理回路が搭載されている。
【００３１】
また、鍵盤シャーシ１２６の基板取付け部のさらに後方側（図面右方側）には、鍵取付け部４１４が設けられ、白鍵１２２の後端部（図面右方側端部）が、白鍵１２２を上下方向に回動可能に支持する支持軸４１６を介して鍵取付け部４１４に取り付けられている。また、鍵盤シャーシ１２６の後方側の端部（図面右方側端部）には、鍵取付け部４１４から垂下する後脚部４１８が設けられている。この後脚部４１８には、白鍵１２２への押鍵操作に応じてハンマーユニット４２０のハンマー部材４２２が回動する際の上限位置及び下限位置を規制するためのストッパ部４１９が設けられている。
【００３２】
ハンマーユニット４２０は、図６、図７に示すように、白鍵１２２及び黒鍵１２４のそれぞれに対応して設けられ、各鍵への押鍵操作に応じて個別に回動してアクション荷重を付与する複数のハンマー部材４２２と、複数の白鍵１２２及び黒鍵１２４に対して共通に設けられ、各鍵に対応するハンマー部材４２２を支持軸４２４を介してそれぞれ回動可能に支持するハンマーホルダ４２６と、を備えている。ハンマーホルダ４２６は、図７に示すように、上述した鍵盤シャーシ１２６のユニット取付け部４０８の下面側に取り付けられる。
【００３３】
ハンマー部材４２２は、図７に示すように、金属材料からなるハンマー本体４３２と、ハンマー本体４３２の一端側（図７左方端側）に設けられた力点部である鍵連結部４３４と、ハンマー本体４３２の他端側（図７右方端側）に設けられた荷重点部である錘部４３６と、ハンマー本体４３２の錘部４３６と鍵連結部４３４との間に設けられ、ハンマー本体４３２を回動可能に支持する支持軸４２４と、を備えている。ここで、ハンマー部材４２２の錘部４３６は、図６、図７に示すように、錘部４３６と支持軸４２４との間のハンマー本体４３２に比較して、下ケース１６０の長手方向（鍵の配列方向）から見た平面形状、及び、下ケース１６０の長手方向（鍵の配列方向）の厚みが大きくなるように形成されていることにより、鍵に所定のアクション荷重を付与するための重量が設定されている。なお、ハンマー部材４２２は、白鍵用と黒鍵用とで略同等の形状を有しているが、白鍵１２２と黒鍵１２４とでは押鍵操作における打鍵位置や鍵の形状等が異なるため、ハンマー部材４２２の平面形状や厚み、重さ、支持軸４２４から錘部４３６や鍵連結部４３４までの寸法等が若干異なるように設計されている。
【００３４】
このような鍵盤構造を有する鍵盤ユニット１２０を備えた楽器本体１００において、ユーザが押鍵操作を行っていない状態（初期状態）においては、図７に示すように、ハンマー部材４２２が錘部４３６の重量によって支持軸４２４を中心に時計回りに回動するように付勢されて、錘部４３６が鍵盤シャーシ１２６に設けられた下限ストッパ部４１９に当接して下限位置が規制される。また、ハンマー部材４２２の鍵連結部４３４が鍵を押し上げることにより、鍵を上限位置である初期位置に規制する。
【００３５】
次いで、ユーザが押鍵操作を行った状態においては、図８に示すように、白鍵１２２又は黒鍵１２４が支持軸４１６を中心に反時計回りに回動する。これにより、ハンマー部材４２２の鍵連結部４３４が鍵により押し下げられて、ハンマー部材４２２が支持軸４２４を中心に反時計回りに回動して錘部４３６が上昇するとともに、錘部４３６の重量に基づくアクション荷重が鍵に付与される。そして、押鍵操作に伴ってハンマー部材４２２の鍵連結部４３４が鍵によりさらに押し下げられると、ハンマー部材４２２の錘部４３６がさらに上昇して鍵盤シャーシ１２６に設けられた上限ストッパ部４１９に当接することによりハンマー部材４２２の回動が停止して上限位置が規制されるとともに、鍵の下限位置が規制される（鍵下限状態）。
【００３６】
この押鍵操作において、ハンマー部材４２２の錘部４３６が上限ストッパ部４１９に当接するまでの間に、鍵盤シャーシ１２６に取り付けられたスイッチ部４１０が鍵により押圧されてオン動作すると、当該鍵に応じた楽音情報が生成される。この楽音情報に基づいて、上ケース１４０に組み込まれた音源回路において楽音が生成され、スピーカ１４８から発音される。その後、ユーザが押鍵操作を終了した場合には、ハンマー部材４２２が錘部４３６の重量によって時計回りに回動して、錘部４３６が下限ストッパ部４１９に当接して下限位置が規制されるとともに、鍵連結部４３４が鍵を押し上げて上限位置である初期位置に規制する。このように、ハンマー部材４２２は、支持軸４２４を中心に錘部４３６及び鍵連結部４３４がそれぞれ上下方向に揺動するように動作する。
【００３７】
上述したような鍵盤機構を有する鍵盤ユニットが組み付けられた下ケースにおいて、第２の筐体補強部３２０は、図６に示すように、白鍵１２２及び黒鍵１２４のそれぞれに対応して設けられたハンマー部材４２２相互の間隙に対応する領域に、下ケース１６０の短手方向に延在する少なくとも１つのリブ（補強部材）３２２が配置されている。ここで、リブ３２２は、下ケース１６０と同一又は同等の樹脂材料を用いて一体的に成形されている。ハンマー部材４２２相互の間隙に設けられるリブ３２２の形状や高さ、厚み寸法は、図７、図８に示したハンマー部材４２２の回動（上下方向の揺動）時の軌跡や、図９に示すような当該回動時や楽器本体１００を縦置きした場合（又は、楽器本体１００の長手方向を天地となるように取り扱った場合）の鍵の配列方向への横振れ（長手方向の揺動）の範囲に対して、当接や接触、乗り上げ等の干渉が生じないように設定される。例えば図７、図９（ｂ）に示すように、リブ３２２の高さ（下ケース１６０の内面側の突出寸法）が、ユーザ側となる前方側（図面左方側のリブ３２４との接続部）から後方側（図面右方側）に向かって段階的或いは連続的に低くなる平面形状や、切り欠かれた切り欠き部を有している。
【００３８】
これにより、図９（ａ）に示すように、ハンマー部材４２２が鍵の配列方向（図面上下方向）へ大きく横振れした場合であっても、ハンマー部材４２２のハンマー本体４３２や錘部４３６が接触する範囲のリブ３２２の高さが低く設定されているので、ハンマー部材４２２とリブ３２２との干渉を回避することができ、ハンマー部材の回動や横振れに伴う異音や振動の発生を抑制することができる。なお、リブ３２２の平面形状は、ハンマー部材４２２の回動や横振れに対して干渉しないものであればよく、例えば高さが直線的や曲線的に連続して低くなる平面形状を有しているものであってもよい。
【００３９】
また、リブ３２２の配置個数やリブ３２２相互の配置間隔は、筐体の強度を向上させるためには、図６、図７又は図９に示したように、複数のリブ３２２が下ケース１６０の長手方向に均一又は略均一に設定されていることが好ましく、また、短手方向に延在する長さは極力長く設定されていることが好ましい。ここで、上述したように、鍵盤楽器においては、白鍵１２２と黒鍵１２４の押鍵操作における打鍵位置や鍵の形状等が異なるため、白鍵１２２及び黒鍵１２４のそれぞれに対応して設けられるハンマー部材４２２の平面形状や厚み、重さ等が異なるように設定されている。そのため、白鍵１２２と黒鍵１２４とではハンマー部材４２２の回動時の軌跡や横振れの範囲が異なることになる。そこで、本実施形態においては、図１０に示すように、複数のリブ３２２を下ケース１６０の長手方向に規則的又は略規則的に配置しつつ、リブ３２２相互の配置間隔を極力近似させるように設定する。
【００４０】
これにより、複数のリブ３２２を、押鍵時のハンマー部材４２２の回動軌跡や横振れ範囲に干渉することなく、下ケース１６０の長手方向に規則的又は略規則的に配置しつつ、短手方向に極力長く延在させることできるので、押鍵時のハンマー部材の回動に伴う異音や振動の発生を抑制しつつ、下ケース１６０や楽器本体１００の短手方向に対して垂直方向に生じる変形（撓み）を抑制することができ、筐体の強度を向上させることができる。
【００４１】
また、第２の筐体補強部３２０は、図７、図９（ｂ）に示すように、下ケース１６０の短手方向に延在する複数のリブ３２２の高さ（下ケース１６０の内面側の突出寸法）が最も高くなる前方側（図面左方側）の端部が、上述した第１の筐体補強部３１０に設けられる溝部３１２により下ケース１６０の内面側に突出する突出部の側壁面に接続されている。
【００４２】
これにより、突出部の側壁面をリブ３２４として適用して、複数のリブ３２２相互が下ケース１６０の長手方向に連結されることになるので、下ケース１６０の短手方向に延在するリブ３２２の強度を向上させることができるとともに、下ケース１６０や楽器本体１００の長手方向に対して垂直方向に生じる変形（撓み）や、長手方向を軸として回転方向に生じる変形（捻れ）を抑制することもでき、筐体の強度をさらに向上させることができる。また、この場合、第１の筐体補強部３１０の一部の構成（突出部の側壁面）を、第２の筐体補強部３２０の構成（リブ３２４）と兼用しているので、楽器本体１００内部の部材のレイアウトを省スペース化することができる。
【００４３】
（３）第３の筐体補強部３３０
図１１は、本実施形態に係る鍵盤楽器に適用される第３の筐体補強部を示す概略斜視図である。図１１（ａ）は、第３の筐体補強部を適用した下ケースを示す全体斜視図であり、図１１（ｂ）は、下ケースの外面側を示す要部斜視図である。図１２は、本実施形態に係る第３の筐体補強部を適用した楽器本体を示す概略断面図である。なお、図１２においては、図示の都合上、上ケースを省略した断面を示す。
【００４４】
第３の筐体補強部３３０は、具体的には、図３（ｂ）、図１１、図１２に示すように、鍵盤ユニット１２０に配列された白鍵１２２の押鍵位置に対応する短手方向前方側（図３（ｂ）下方側、図１１手前側）の領域であって下ケース１６０の長手方向に延在する領域（第３領域）に、下ケース１６０の外面側から楽器本体１００の内部（下ケース１６０の内面側）方向に窪んだ凹部を有している。具体的には、例えば、下ケース１６０の内面側において、下ケース１６０の長手方向に沿って互いに近接して対向する一対の板状部材を有するリブ３３２と、一対のリブ３３２の間及びその外方にあって、長手方向に直交する下ケース１６０の短手方向に延在して一対のリブ３３２を相互に連結する板状部材を有するリブ３３４と、が配置されている。ここで、リブ３３２、３３４は、図１２に示すように、下ケース１６０の内面側から図面上方の鍵盤ユニット１２０の白鍵１２２に向かって突出して設けられているが、リブ３３２、３３４の上端部及び上端部に隣接するリブ３３４の垂下部と、鍵盤ユニット１２０の鍵盤シャーシ１２６との間には間隙が形成されるようにリブ３３２、３３４の形状や高さが設定されている。
【００４５】
このように、下ケース１６０の前方側の領域に、長手方向に連続する一対のリブ３３２、及び、短手方向にリブ３３２相互を連結するとともに、その外方にまで延在するリブ３３４を設けることにより、下ケース１６０や楽器本体１００の長手方向に対して垂直方向に生じる変形（撓み）を抑制することができ、筐体の強度を向上させることができる。また、鍵の押鍵位置の直下となる下ケース１６０の領域に、リブ３３２、３３４を鍵盤ユニット１２０から離間するように突出させることにより、ユーザが押鍵操作を行った場合であっても、その衝撃や押圧力が直接下ケース１６０に伝達されることがないので、下ケース１６０や楽器本体１００の変形（撓み）を抑制することができるとともに、押鍵時の異音や振動の発生を抑制することができる。
【００４６】
なお、図３（ｂ）においては、リブ３３２、３３４を有する第３の筐体補強部３３０を、下ケース１６０の長手方向に２つに分割して配置した例を示した。これは、下ケース１６０の長手方向の略中央付近に設けられている、楽器本体１００の駆動電源となる電池ボックスを回避するために、リブ３３２、３３４の配置を分割したものであって、本発明はこれに限定されるものではない。下ケース１６０におけるレイアウト設計を変更することにより、連続する一つの第３の筐体補強部３３０を配置するものであってもよいし、２つ以上の複数に分割して配置するものであってもよい。
【００４７】
また、リブ３３２、３３４は、下ケース１６０に組み付けられる上ケース１４０や鍵盤ユニット１２０をネジ等の締結部材で締結固定するための取り付けボスや取り付け穴の近傍に配置することが好ましい。この場合、リブ３３２、３３４を取り付けボスと一体的、又は、連結して形成し、上ケース１４０や鍵盤ユニット１２０を締結固定することにより、或いは、取り付け穴において上ケース１４０や鍵盤ユニット１２０を締結固定することにより、リブ３３２、３３４を薄い板状部材により形成した場合であっても筐体の強度を向上させることができるとともに、楽器本体１００内部の部材のレイアウトを省スペース化することができる。
【００４８】
（４）第４の筐体補強部３４０
図１３は、本実施形態に係る鍵盤楽器に適用される第４の筐体補強部を示す概略斜視図である。図１３（ａ）は、第４の筐体補強部を適用した下ケースを示す全体斜視図であり、図１３（ｂ）、（ｃ）は、第４の筐体補強部を示す要部斜視図である。図１４は、本実施形態に係る第４の筐体補強部を適用した楽器本体を示す概略断面図である。なお、図１４においては、図示の都合上、上ケースを省略した断面を示す。図１５は、本実施形態に係る第４の筐体補強部を適用した楽器本体内部のケーブル配設例を示す概略図である。図１５（ａ）は、第４の筐体補強部を適用した楽器本体におけるスピーカケーブルの配設例を示す図であり、図１５（ｂ）は、比較対象となるスピーカケーブルの配設例を示す図である。
【００４９】
第４の筐体補強部３４０は、具体的には、図３（ｂ）、図１３、図１４に示すように、下ケース１６０の内面側において、楽器本体１００の短手方向後方側（図３（ｂ）上方側、図１３奥側、図１４）の領域であって鍵盤ユニット１２０の後方側の、下ケース１６０の長手方向に延在する領域（第４領域）に、互いに近接して対向する一対の板状部材を有するリブ（補強部材）３４２が配置されている。また、第４の筐体補強部３４０には、一対のリブ３４２の間にあって、長手方向に直交する下ケース１６０の短手方向に延在して一対のリブ３４２を相互に連結する板状部材を有するリブ３４４が配置されている。ここで、リブ３４４は、図１３に示すように、リブ３４２と略同等の高さを有している。また、図１３、図１４に示すように、リブ３４４の上端部分には上ケース１４０に組み込まれ、鍵盤ユニット１２０の後方側に配置される音源回路基板（回路基板）１４６とスピーカ（発音部）１４８との間を接続するスピーカケーブル１５０を、一対のリブ３４２間に収納して保持固定するためのＵ字型やＶ字型の溝を有するスリット部３４６が設けられている。また、リブ３４２、３４４は、図１５（ａ）に示すように、音源回路基板１４６とスピーカ１４８との間に配設されるスピーカケーブル１５０と、音源回路基板１４６の配線や電子部品とが平面視して重ならないように、或いは、極端に近接しないように、下ケース１６０から突出する高さが設定されている。
【００５０】
このように、下ケースの後方側の領域に、長手方向に連続する一対のリブ３４２、及び、短手方向にリブ３４２相互を連結するリブ３４４を設けることにより、下ケース１６０や楽器本体１００の長手方向に対して垂直方向に生じる変形（撓み）を抑制することができ、筐体の強度を向上させることができる。また、楽器本体１００の内部に収納される音源回路基板１４６とスピーカ１４８との間に配設されるスピーカケーブル１５０を、一対のリブ３４２相互を連結するリブ３４４に設けられたスリット部３４６により保持固定して一対のリブ３４２間に収納することにより、スピーカケーブル１５０と音源回路基板１４６との平面的な重なりや近接を回避することができる。
【００５１】
ここで、図１５（ｂ）に示すように、スピーカケーブル１５０が音源回路基板１４６に対して平面的に重なったり極端に近接したりしている場合には、音源回路基板１４６からのノイズが混入してスピーカ１４８から発音される楽音の音質が劣化しやすくなる。これに対して、本実施形態においては、スピーカケーブル１５０と音源回路基板１４６との平面的な重なりや近接を極力回避するようにリブ３４２、３４４の高さが設定されているので、スピーカ１４８から発音される楽音へのノイズの混入を抑制して音質を向上させることができる。また、この場合、音源回路基板１４６に設けられるスピーカケーブル１５０のコネクタ１４７の配置を変更することなくノイズの混入を抑制することができるので、既存の回路基板をそのまま使用することができる。
【００５２】
なお、リブ３４２は、図１３に示すように、下ケース１６０に組み付けられる上ケース１４０や鍵盤ユニット１２０をネジ等の締結部材で締結固定するための取り付けボス３５０の近傍に配置され、取り付けボス３５０と一体的、又は、取り付けボス３５０に連結して形成される。これにより、リブ３４２、３４４を薄い板状部材により形成した場合であっても筐体の強度を向上させることができるとともに、楽器本体１００内部の部材のレイアウトを省スペース化することができる。
【００５３】
上述した実施形態においては、本発明に係る異なる種類の複数の筐体補強部について説明したが、本発明に係る電子鍵盤楽器は、これらの全ての筐体補強部を備えるものであってもよいし、いずれか一つの補強部のみを備えるものであってもよいし、任意の筐体補強部の組み合わせを備えるものであってもよい。
【００５４】
以上、本発明のいくつかの実施形態について説明したが、本発明は、上述した実施形態に限定されるものではなく、特許請求の範囲に記載された発明とその均等の範囲とを含むものである。
以下に、本願出願の当初の特許請求の範囲に記載された発明を付記する。
【００５５】
（付記）
［１］
一端側に設けられ、押鍵時に押し下げられる力点部と、他端側に設けられ、押鍵される鍵に対して荷重を加える錘部と、前記力点部と前記錘部の間に設けられている支点部と、を有し、押鍵時に前記支点部を中心に上下方向にそれぞれ揺動する複数のハンマー部材と、
前記複数のハンマー部材の間隙に、各ハンマー部材が前記支点部を中心に前記鍵の配列方向に揺動した場合であっても前記錘部が当接しないように設けられている少なくとも１つの補強部材、を有する筺体と、
を備えることを特徴とする鍵盤楽器。
【００５６】
［２］
［１］に記載の鍵盤楽器において、
前記筺体と、前記少なくとも１つの補強部材と、は一体的に成形されており、
前記少なくとも１つの補強部材は、前記各ハンマー部材が前記支点部を中心に前記鍵の配列方向に揺動した場合であっても前記錘部が当接しないように切り欠かれた切り欠き部、を有することを特徴とする鍵盤楽器。
【００５７】
［３］
［１］又は［２］に記載の鍵盤楽器において、
前記筐体は、前記鍵の配列方向に沿って、外面側から内部方向に向けて窪んだ凹部が設けられている第１領域、を有し、
前記少なくとも１つの補強部材は、前記第１領域に隣接する第２領域内に設けられていることを特徴とする鍵盤楽器。
【００５８】
［４］
［３］に記載の鍵盤楽器において、
前記支点部を支持することにより前記複数のハンマー部材を保持する保持部材、を備え、
前記保持部材は、前記第１領域に対応する前記筺体内の凸部に載置されていることを特徴とする鍵盤楽器。
【００５９】
［５］
［３］又は［４］に記載の鍵盤楽器において、
前記第１領域内に、板状部材が格子状に配置されていることを特徴とする鍵盤楽器。
【００６０】
［６］
［３］乃至［５］のいずれかに記載の鍵盤楽器において、
前記筐体は、前記第１領域内に、当該鍵盤楽器を載置するスタンドに位置決めするための位置決め部が設けられていることを特徴とする鍵盤楽器。
【００６１】
［７］
［３］乃至［６］のいずれかに記載の鍵盤楽器において、
前記筐体は、前記鍵の配列方向に沿って外面側から内部方向に向けて窪んだ凹部が、押鍵位置に対応する第３領域に設けられていることを特徴とする鍵盤楽器。
【００６２】
［８］
［７］に記載の鍵盤楽器において、
前記筐体は、前記鍵の配列方向に沿って延びる他の補強部材が、前記複数の鍵の後方の第４領域に設けられていることを特徴とする鍵盤楽器。
【００６３】
［９］
［８］に記載の鍵盤楽器において、
前記複数の鍵の後方側に、押鍵操作に応じた楽音を生成する回路基板と、前記楽音を発音する発音部と、が配置され、
前記回路基板と前記発音部とを接続するケーブルが、前記他の補強部材の内部に配設されていることを特徴とする鍵盤楽器。
【符号の説明】
【００６４】
１００    楽器本体
１２０    鍵盤ユニット
１２２    白鍵
１２４    黒鍵
１２６    鍵盤シャーシ
１４０    上ケース
１４６    音源回路基板
１４８    スピーカ
１５０    スピーカケーブル
１６０    下ケース
２００    スタンド
３１０    第１の筐体補強部
３１２    溝部
３１４、３１６    リブ
３２０    第２の筐体補強部
３２２、３２４    リブ
３３０    第３の筐体補強部
３３２、３３４    リブ
３４０    第４の筐体補強部
３４２、３４４    リブ
３４６    スリット部
４１０    スイッチ部
４２０    ハンマーユニット
４２２    ハンマー部材
４２４    支持軸
４２６    ハンマーホルダ
４３２    ハンマー本体
４３４    鍵連結部
４３６    錘部
【図１】
2020064215.tif 000003
【図２】
2020064215.tif 000004
【図３】
2020064215.tif 000005
【図４】
2020064215.tif 000006
【図５】
2020064215.tif 000007
【図６】
2020064215.tif 000008
【図７】
2020064215.tif 000009
【図８】
2020064215.tif 000010
【図９】
2020064215.tif 000011
【図１０】
2020064215.tif 000012
【図１１】
2020064215.tif 000013
【図１２】
2020064215.tif 000014
【図１３】
2020064215.tif 000015
【図１４】
2020064215.tif 000016
【図１５】
2020064215.tif 000017